(57)【要約】【課題】光源の種類に応じた初期照度補正特性に容易に設定変更可能であり、さらに光源を交換した際の累積点灯時間のリセット操作が容易に実施可能な光源点灯システムを提供する。【解決手段】累積点灯時間リセット要求判定部２３は、第１通信制御部２１および双方向通信手段４を経由して初期照度補正回路２にリセット要求信号を伝達する。初期照度補正回路２は第２通信制御部７１を経由してこのリセット要求信号を累積点灯時間リセット部７４に伝達する。累積点灯時間リセット部７４は、このリセット要求信号をさらに累積点灯時間カウント部７５に伝達する。累積点灯時間カウント部７５は、累積点灯時間リセット部７４からリセット要求信号を受けた時、内蔵の不揮発性メモリに記録されている累積点灯時間を所定の値にリセットする。【選択図】図１
2017037785.tif 000002
【特許請求の範囲】
【請求項１】
光源を点灯させるための点灯装置と、
前記光源の累積点灯時間に応じた調光指令信号を出力する初期照度補正回路と、
を備え、
前記点灯装置は、
前記光源に電力を供給する光源制御回路と、
前記調光指令信号に基づいて前記光源制御回路に制御信号を与える目標出力生成回路と、
前記目標出力生成回路と接続した第１通信制御部と、
を備え、
前記初期照度補正回路は、
前記累積点灯時間を計測する時間カウント部と、
書き換え可能に予め記憶された補正値に従って前記累積点灯時間に応じた前記調光指令信号を出力する目標出力指令値生成回路と、
前記時間カウント部および前記目標出力指令値生成回路と接続し、双方向通信手段を介して前記第１通信制御部と双方向に通信を行うための第２通信制御部と、
を備え、
前記点灯装置と前記初期照度補正回路の少なくとも一方が、累積点灯時間リセット要求判定部を備え、
前記累積点灯時間リセット要求判定部は、前記時間カウント部が計測した前記累積点灯時間に対するリセット要求に基づいてリセット要求信号を出力し、
前記リセット要求信号に応答して前記初期照度補正回路は前記累積点灯時間のリセットを行い、
前記リセットが行われた後の前記調光指令信号が前記初期照度補正回路から前記双方向通信手段を介して前記点灯装置に伝達される光源点灯システム。
【請求項２】
前記第１通信制御部および前記第２通信制御部は、前記調光指令信号および前記リセット要求信号を同一の通信方式で送受信する請求項１に記載の光源点灯システム。
【請求項３】
前記点灯装置は、前記光源が点灯されているか否かを判定した点灯判定信号を出力する光源検出回路を備え、
前記時間カウント部は、前記点灯判定信号に基づいて前記累積点灯時間を計測する請求項１または２に記載の光源点灯システム。
【請求項４】
前記点灯装置と前記初期照度補正回路のうち前記点灯装置が、前記累積点灯時間リセット要求判定部を備え、
前記点灯装置からの前記リセット要求信号が前記双方向通信手段を介して前記初期照度補正回路に伝達されたとき、前記初期照度補正回路は前記リセット要求信号に応じて前記リセットを行う請求項１〜３のいずれか１項に記載の光源点灯システム。
【請求項５】
前記点灯装置は、商用電源を整流して前記光源制御回路に供給する整流回路を含み、
前記累積点灯時間リセット要求判定部は、前記商用電源のオンオフ回数が予め定められた条件と合致した場合に、前記リセット要求が有効と判定する請求項１〜４のいずれか１項に記載の光源点灯システム。
【請求項６】
操作を受け付ける外部スイッチを備え、
前記累積点灯時間リセット要求判定部は、前記外部スイッチの操作内容が予め定めた条件に合致したときに、前記リセット要求が有効と判定する請求項１〜５のいずれか１項に記載の光源点灯システム。
【請求項７】
前記累積点灯時間リセット要求判定部は、前記光源の異常点灯の発生または前記光源の交換があったときに、前記リセット要求が有効と判定する請求項１〜６のいずれか１項に記載の光源点灯システム。
【請求項８】
前記点灯装置は、前記目標出力生成回路と、前記第１通信制御部とを内蔵した第１マイコンを含み、
前記初期照度補正回路は、前記時間カウント部と、前記目標出力指令値生成回路と、前記第２通信制御部とを内蔵した第２マイコンを含み、
前記累積点灯時間リセット要求判定部は前記第１マイコンと前記第２マイコンの少なくとも一方に内蔵された請求項１〜７のいずれか１項に記載の光源点灯システム。
【請求項９】
光源を点灯させるための点灯装置と、
前記光源の累積点灯時間に応じた調光指令信号を出力する初期照度補正回路と、
を備え、
前記点灯装置は、
前記光源に電力を供給する光源制御回路と、
前記調光指令信号に基づいて前記光源制御回路に制御信号を与える目標出力生成回路と、
前記累積点灯時間をリセットする要求が有効である場合にリセット要求信号を出力する累積点灯時間リセット要求判定部と、
前記調光指令信号を受信するとともに、前記リセット要求信号を送信する第１通信制御部と、
を備え、
前記初期照度補正回路は、
前記累積点灯時間に応じた前記調光指令信号を出力する目標出力指令値生成回路と、
双方向通信手段を介して前記第１通信制御部から前記リセット要求信号を受信するとともに、前記第１通信制御部へ前記調光指令信号を送信する第２通信制御部と、
前記リセット要求信号に基づいて前記累積点灯時間をリセットする累積点灯時間リセット部と、
を備えたことを特徴とする光源点灯システム。
【請求項１０】
光源を点灯させるための点灯装置と、
前記光源の累積点灯時間に応じた調光指令信号を出力する初期照度補正回路と、
を備え、
前記点灯装置は、
前記光源に電力を供給する光源制御回路と、
前記調光指令信号に基づいて前記光源制御回路に制御信号を与える目標出力生成回路と、
前記調光指令信号を受信するとともに、前記点灯装置の状態を示す状態信号を送信する第１通信制御部と、
を備え、
前記初期照度補正回路は、
前記累積点灯時間に応じた前記調光指令信号を出力する目標出力指令値生成回路と、
双方向通信手段を介して、前記第１通信制御部から前記状態信号を受信するとともに、前記第１通信制御部へ前記調光指令信号を送信する第２通信制御部と、
前記状態信号に基づいて前記累積点灯時間をリセットする要求が有効である場合にリセット要求信号を出力する累積点灯時間リセット要求判定部と、
前記リセット要求信号に基づいて前記累積点灯時間をリセットする累積点灯時間リセット部と、
を備えたことを特徴とする光源点灯システム。
【発明の詳細な説明】
【技術分野】
【０００１】
本発明は、初期照度補正機能を有する光源点灯システムに関する。
【背景技術】
【０００２】
従来、初期照度補正機能を搭載した照明器具が知られている。初期照度補正は、光源の経年劣化等による光束減少に起因する照度低下を補正するものである。具体的には、初期照度補正では、光源の使用開始からの累積点灯時間が計測され、ランプの照度が一定となるように累積点灯時間に応じて調光レベルが補正される。
【０００３】
また、従来、例えば、特許文献１（特開２０１３−１６５００４号公報）に記載されているように、初期照度補正を行うための補正回路と、光源を点灯させる点灯装置とを個別に設ける技術が知られている。この公報の例えば図３にかかる照明システムでは、初期照度補正回路としての役割を果たす制御ユニット（符号２１）と点灯回路を含む照明装置（符号２４）とが個別に設けられている。制御ユニット２１外部のリモコンなどに設けられた入力部がユーザの操作を受け付けることで、入力部から初期照度補正回路に初期照度補正値の設定データを入力できるようになっている。制御ユニット２１と照明装置２４は、ＰＷＭ信号線で接続されている。初期照度補正回路に入力された設定データは照明装置内の制御ユニットに伝達され、その設定データに基づいて累積点灯時間に応じたＰＷＭ（Ｐｕｌｓｅ  Ｗｉｄｔｈ  Ｍｏｄｕｌａｔｉｏｎ）信号が生成され、このＰＷＭ信号に基づいて光源が点灯される。これにより初期照度補正の設定データを事後的に修正することができ、劣化特性の異なる光源、および出力特性の異なる点灯回路においても適切な初期照度補正を行うことができる。
【先行技術文献】
【特許文献】
【０００４】
【特許文献１】特開２０１３−１６５００４号公報
【発明の概要】
【発明が解決しようとする課題】
【０００５】
特許文献１では、双方向シリアル通信線を介して通信ユニット、照明装置などからなる照明制御システムが構成されており、照度センサなどの出力が照明装置内の制御ユニットに伝達される。しかしながら、インバータ等の点灯回路と初期照度補正機能を有する制御ユニットはＰＷＭ信号を用いた片方向通信にすぎない。従って、初期照度補正回路（制御ユニット）は点灯装置の状態を正確に知ることができない。このため、特許文献１には累積点灯時間の自動的なリセットについて明記が無い。特許文献１にかかる技術では、累積点灯時間をリセットする際には個別に外部スイッチおよび外部信号受光部等を設け、光源を交換するたびに使用者が個別に累積点灯時間のリセットを行う必要があるといった不便がある。
【０００６】
本発明は、上述のような課題を解決するためになされたもので、光源を交換した際の累積点灯時間のリセット操作が容易に実施可能な光源点灯システムを提供することを目的とする。
【課題を解決するための手段】
【０００７】
本発明にかかる光源点灯システムは、光源を点灯させるための点灯装置と、前記光源の累積点灯時間に応じた調光指令信号を出力する初期照度補正回路と、を備え、前記点灯装置は、前記光源に電力を供給する光源制御回路と、調光指令信号に基づいて前記光源制御回路に制御信号を与える目標出力生成回路と、前記目標出力生成回路と接続した第１通信制御部と、を備え、前記初期照度補正回路は、前記累積点灯時間を計測する時間カウント部と、書き換え可能に予め記憶された補正値に従って前記累積点灯時間に応じた前記調光指令信号を出力する目標出力指令値生成回路と、前記時間カウント部および前記目標出力指令値生成回路と接続し、双方向通信手段を介して前記第１通信制御部と双方向に通信を行うための第２通信制御部と、を備え、前記点灯装置と前記初期照度補正回路の少なくとも一方が、累積点灯時間リセット要求判定部を備え、前記累積点灯時間リセット要求判定部は、前記時間カウント部が計測した前記累積点灯時間に対するリセット要求が有効である場合にリセット要求信号を出力し、前記リセット要求信号に応答して前記初期照度補正回路は前記累積点灯時間のリセットを行い、前記リセットが行われた後の前記調光指令信号が前記初期照度補正回路から前記双方向通信手段を介して前記点灯装置に伝達される。
【０００８】
本発明にかかる他の光源点灯システムは、光源を点灯させるための点灯装置と、前記光源の累積点灯時間に応じた調光指令信号を出力する初期照度補正回路と、を備え、前記点灯装置は、前記光源に電力を供給する光源制御回路と、前記調光指令信号に基づいて前記光源制御回路に制御信号を与える目標出力生成回路と、前記累積点灯時間をリセットする要求が有効である場合にリセット要求信号を出力する累積点灯時間リセット要求判定部と、前記調光指令信号を受信するとともに、前記リセット要求信号を送信する第１通信制御部と、を備え、前記初期照度補正回路は、前記累積点灯時間に応じた前記調光指令信号を出力する目標出力指令値生成回路と、双方向通信手段を介して前記第１通信制御部から前記リセット要求信号を受信するとともに、前記第１通信制御部へ前記調光指令信号を送信する第２通信制御部と、前記リセット要求信号に基づいて前記累積点灯時間をリセットする累積点灯時間リセット部と、を備えたことを特徴とする。
【０００９】
本発明にかかる更に他の光源点灯システムは、光源を点灯させるための点灯装置と、前記光源の累積点灯時間に応じた調光指令信号を出力する初期照度補正回路と、を備え、前記点灯装置は、前記光源に電力を供給する光源制御回路と、前記調光指令信号に基づいて前記光源制御回路に制御信号を与える目標出力生成回路と、前記調光指令信号を受信するとともに、前記点灯装置の状態を示す状態信号を送信する第１通信制御部と、を備え、前記初期照度補正回路は、前記累積点灯時間に応じた前記調光指令信号を出力する目標出力指令値生成回路と、双方向通信手段を介して、前記第１通信制御部から前記状態信号を受信するとともに、前記第１通信制御部へ前記調光指令信号を送信する第２通信制御部と、前記状態信号に基づいて前記累積点灯時間をリセットする要求が有効である場合にリセット要求信号を出力する累積点灯時間リセット要求判定部と、前記リセット要求信号に基づいて前記累積点灯時間をリセットする累積点灯時間リセット部と、を備えたことを特徴とする。
【発明の効果】
【００１０】
本発明によれば、点灯装置および初期照度補正回路が第１、２通信制御部を介して双方向通信できるので、初期照度補正回路においても光源及び点灯回路の状態を把握でき、容易に累積点灯時間のリセットが可能となる。
【図面の簡単な説明】
【００１１】
【図１】本発明の実施の形態１にかかる光源点灯システムを示すブロック図である。
【図２】本発明の実施の形態２にかかる光源点灯システムを示すブロック図である。
【図３】本発明の実施の形態３にかかる光源点灯システムを示すブロック図である。
【図４】本発明の実施の形態４にかかる光源点灯システムを示すブロック図である。
【図５】本発明の実施の形態５にかかる光源点灯システムを示すブロック図である。
【発明を実施するための形態】
【００１２】
実施の形態１．
図１は、本発明の実施の形態１にかかる光源点灯システム１００を示すブロック図である。本発明による光源点灯システム１００は、点灯装置１、初期照度補正回路２および双方向通信手段４を備える。光源点灯システム１００に光源３が接続されることで実施の形態１にかかる照明器具が提供される。商用電源ＡＣと点灯装置１との間には、それらの電気接続をオンとオフとで切替えるための照明スイッチＳＷが設けられている。
【００１３】
点灯装置１は、ノイズ抑制回路１１、整流回路１２、光源制御回路１３、光源検出回路１４、制御電源生成部１５、および第１マイコン１６から構成されている。商用電源ＡＣから入力された商用交流電圧は、整流回路１２により全波整流され、光源制御回路１３及び制御電源生成部１５に入力される。制御電源生成部１５は、入力された全波整流電圧を第１マイコン１６の定格電圧まで降圧することで、第１マイコン１６に電源を供給する。第１マイコン１６は、第１通信制御部２１、目標出力生成回路２２、および累積点灯時間リセット要求判定部２３を備えている。目標出力生成回路２２は、初期照度補正回路２から双方向通信手段４により伝達された調光指令値に基づいて、光源制御回路１３を制御する制御信号を生成する。この制御信号に基づいて光源制御回路１３が光源３を点灯させる。これにより、第１マイコン１６から伝えられた制御信号（調光指令値）に従って、光源制御回路１３が光源３を所定の出力で点灯させることができる。
【００１４】
光源制御回路１３には、点灯する光源３の種類および特性に応じて様々な回路構成を用いることができる。例えば、光源３が蛍光灯であれば、光源制御回路１３はＰＦＣ回路とハーフブリッジ回路から構成されてもよい。例えば、光源３がＬＥＤであれば、光源制御回路１３としてＰＦＣ回路とバックコンバータ回路が用いられても良く、またはフライバック回路等が用いられてもよい。
【００１５】
光源検出回路１４は、光源３の異常判定、交換有無判定、および点灯判定を行う。光源検出回路１４が行う異常判定としては、光源３の電圧により短絡または開放が生じたことの判定、あるいは光源３が寿命を迎えたことの判定などの各種異常判定が好ましく適用される。寿命判定は、例えば光源３のＬＥＤ素子に印加される電圧をモニタする方法を用いてもよい。例えば、ＬＥＤ素子に異常電圧が発生したかどうかを検出抵抗で検出し、定電流制御を行っても基準電圧（許容電圧）にならず、補償電圧を超えたときに、光源３が寿命を迎えたと判断してもよい。なお、蛍光灯の一般的な寿命判定方法としては、エミレス（エミッタ―レス）判定がある。エミレス判定は、寿命末期にフィラメントに塗布された電子放射物質が減少し、ランプに印加される電圧に偏りが生じることにより寿命判定を行うものである。光源検出回路１４で光源３が正常に点灯していると判定された時には、第１通信制御部２１を経由して双方向通信手段４から初期照度補正回路２へと「点灯判定信号」が伝達される。光源検出回路１４が光源３の異常（具体的には短絡、開放、あるいは寿命等）又は交換を検出した時、光源検出回路１４は累積点灯時間リセット要求判定部２３に異常、交換を検出したことを示す信号を伝達する。
【００１６】
光源検出回路１４は、光源３の点灯状態を検出し、光源３のなるべく詳細な点灯状態を初期照度補正回路２に伝達することが好ましい。伝達されるべき光源３の点灯状態には、例えば、光源３の点灯、消灯、および異常、ならびに光源３の電気的状態（つまり、印加電圧、供給電流、及び供給電力）のなかから任意に選択した１つ以上の状態が含まれることが好ましい。
【００１７】
累積点灯時間リセット要求判定部２３は、光源３の累積点灯時間をリセットする要求が有るか否かの判定を行い、その判定の結果に基づいてリセット要求信号を出力する。累積点灯時間リセット要求判定部２３は、光源検出回路１４から伝達された信号に基づき、リセット要求が有効であるか否かを判定する。累積点灯時間リセット要求判定部２３によりリセット要求が有効であると判定した場合、累積点灯時間リセット要求判定部２３は、第１通信制御部２１および双方向通信手段４を経由して初期照度補正回路２にリセット要求信号を伝達する。以下の説明では、累積点灯時間のリセット要求を単に「リセット要求」とも称し、累積点灯時間のリセット要求信号を単に「リセット要求信号」とも称する。
【００１８】
初期照度補正回路２は、第２マイコン６６を含んでいる。第２マイコン６６は、双方向通信手段４を介して受信した点灯装置１からの信号に基づいて、目標出力指令値を算出する。具体的には、第２マイコン６６は、双方向通信手段４を介して点灯装置１と双方向通信を行うための第２通信制御部７１、累積点灯時間を計測するための累積点灯時間カウント部７５、累積点灯時間に応じた調光指令値を生成する目標出力指令値生成回路７２、およびリセット要求に従い累積点灯時間をリセットする累積点灯時間リセット部７４を備えている。点灯装置１から送信された点灯判定信号は、第２マイコン６６内部の第２通信制御部７１により受信され、さらに累積点灯時間カウント部７５に伝えられる。累積点灯時間カウント部７５は、受信した点灯判定信号に応答して累積点灯時間の計測を開始すると共に、累積点灯時間を目標出力指令値生成回路７２に伝える。目標出力指令値生成回路７２は、累積点灯時間に基づいて、予め記憶している補正値を用いて補正を施した光源３の目標出力値を、第２通信制御部７１を経由して点灯装置１に伝達する。なお、この「予め記憶している補正値」は第２マイコン６６内の不揮発性メモリ内に格納されており、例えば累積点灯時間と対応付けられた複数の補正値がテーブルの形態などで記憶されていてもよい。この「予め記憶している補正値」は書き換え可能であることが好ましく、第２マイコン６６が外部端末と接続することで補正値データを編集したり新しい補正値データを上書きしたりできることが好ましい。補正値の書き換えの具体的方法は、例えば特開２０１３−１６５００４号公報に記載された設定データ書換技術を利用することができる。
【００１９】
点灯装置１から送信された信号がリセット要求信号である場合、初期照度補正回路２は第２通信制御部７１を経由してこのリセット要求信号を累積点灯時間リセット部７４に伝達する。累積点灯時間リセット部７４は、このリセット要求信号をさらに累積点灯時間カウント部７５に伝達する。累積点灯時間カウント部７５は、リセット要求信号を受信した場合には、第２マイコン６６の内蔵不揮発性メモリ（図示せず）に記録されている累積点灯時間を所定の値（一例としてゼロ時間などの初期値）にリセットする。リセット後の累積点灯時間は、目標出力指令値生成回路７２に伝達される。目標出力指令値生成回路７２は、リセット後の累積点灯時間および予め記憶している補正値を用い、リセット後の累積点灯時間に応じた光源３の目標出力を生成する。この目標出力が、第２通信制御部７１および双方向通信手段４を経由して点灯装置１に伝達される。
【００２０】
以上説明した実施の形態１にかかる光源点灯システム１００によれば、点灯装置１からのリセット要求信号が双方向通信手段４を介して初期照度補正回路２に伝達され、初期照度補正回路２はこのリセット要求信号に応じて累積点灯時間をリセットする。リセット後の調光指令値が初期照度補正回路２から双方向通信手段４を介して点灯装置１に伝達され、調光指令値に従って点灯装置１が光源３を点灯させる。より具体的には、まず、点灯装置１側において光源３の異常または交換が光源検出回路１４により検出されると、光源検出回路１４から累積点灯時間リセット要求判定部２３に信号が伝達される。その信号を受信した累積点灯時間リセット要求判定部２３は、リセット要求が有効であることを判定したうえで、リセット要求信号を第１通信制御部２１に出力する。リセット要求信号は、さらに双方向通信手段４および第２通信制御部７１を経由して初期照度補正回路２（最終的にはその内部の累積点灯時間リセット部７４）に到達する。リセット要求信号が累積点灯時間リセット部７４に到達した段階で、累積点灯時間カウント部７５で計測していた累積点灯時間が自動的にリセットされる。これにより、ユーザが光源３の異常／交換時に、累積点灯時間カウント部７５で計測していた累積点灯時間をいちいち手動でリセットするような面倒をなくすことができる。
【００２１】
また、実施の形態１によれば、初期照度補正回路２において光源３の状態を正確に把握でき、容易かつ正確に累積点灯時間のリセットが可能となる。
【００２２】
累積点灯時間リセット要求判定部２３を設けたことで、点灯装置１側でリセット要求可否を正確に判定できる。その正確な判定結果に基づいてリセット要求信号が初期照度補正回路２に伝達され、リセット要求信号に応じて初期照度補正回路２が累積点灯時間をリセットする。これにより、点灯装置１と初期照度補正回路２とを個別に設けたシステムにおいて、自動的な初期照度補正特性変更を正確に行うことができる。
【００２３】
双方向通信手段４は、点灯装置１と初期照度補正回路２との間で双方向の通信を行わせるためのインターフェースであり、有線と無線を問わない。第１マイコン１６と第２マイコン６６とが互いに有線通信を行うものであれば、双方向通信手段４は少なくとも１本の端子を備えるコネクタまたは／および少なくとも一本の伝送路を含むケーブルなどから構成される。第１マイコン１６と第２マイコン６６とが互いに無線通信を行うものであれば、双方向通信手段４は、第１通信制御部２１と第２通信制御部７１とで構成された無線通信ネットワークを含む。この双方向通信手段４を介して調光指令信号（調光指令値）およびリセット要求信号がやりとりされ、調光指令信号（調光指令値）およびリセット要求信号の両方に同一の通信方式が使用されている。双方向通信手段４を介した通信は、シリアル通信でもパラレル通信でもよいが、端子数および配線数を節減する観点からはシリアル通信が好ましい。第１通信制御部２１と第２通信制御部７１は、それぞれ内部に送信機および受信機を含んでおり、いわゆる全二重通信といわゆる半二重通信とのいずれを行うように構成されていてもよい。
【００２４】
なお、「リセット」とは現時点の累積点灯時間をクリアしてゼロ時間などの初期値に戻すものであってもよいが、本発明はこれに限られず、累積点灯時間を修正する種々の計算を含んでも良い。「リセット」は、例えば累積点灯時間の計測値を初期値とは異なる予め定めた値に設定するものでもよいし、計測値に対して減算や乗算などを施すことで累積点灯時間を減じるものでもよい。
【００２５】
実施の形態２．
図２は、本発明の実施の形態２にかかる光源点灯システム２００を示すブロック図である。光源点灯システム２００に光源３が接続されることで実施の形態２にかかる照明器具が提供される。本実施の形態２は、リセット要求が発生する条件が実施の形態１と異なっている。よってリセット要求が発生する条件を主に説明し、実施の形態１と共通の事項については適宜に説明を省略あるいは簡略化する。
【００２６】
点灯装置２０１は、ノイズ抑制回路１１、整流回路１２、光源制御回路１３、光源検出回路１４、および制御電源生成部１５を備える点では実施の形態１の点灯装置１と同じである。しかし、実施の形態２では、第１マイコン１６が第１マイコン２１６に置換されている点が実施の形態１とは異なっている。第１マイコン２１６は、第１通信制御部２１、目標出力生成回路２２、および累積点灯時間リセット要求判定部２３を備える点では実施の形態１の第１マイコン１６と同様であるが、さらに商用電源検出部２６を備えている点が実施の形態１とは異なっている。
【００２７】
照明スイッチＳＷを操作することで、商用電源ＡＣと点灯装置２０１との電気接続をオンとオフとで切替えることができる。商用電源検出部２６は、整流回路１２の出力電圧のレベルを検出し、商用電源ＡＣのオンオフの判定を行い、そのオンオフの回数を累積点灯時間リセット要求判定部２３に伝える。
【００２８】
累積点灯時間リセット要求判定部２３は、商用電源検出部２６により検出した商用電源ＡＣオンオフ操作の回数に応じて、リセット要求の有無を判定する。一例としては、累積点灯時間リセット要求判定部２３は、照明スイッチＳＷを一旦オンしてからオフに戻す操作を一単位としてこの一単位のオンオフ操作が１秒間などの予め定めた所定短時間内に６回などの予め定めた所定回数だけ商用電源検出部２６で検出されたときに、リセット要求が有ると判定してもよい。なお、１秒間に６回のオンオフ操作という条件は一例であり、予め定めた所定短時間は１秒に限らない。予め定めた所定回数も６回より多くしても少なくしてもよいが、通常の照明オンオフと明確に区別できることが好ましく、２以上の複数回に設定してもよい。また、この所定短時間および所定回数は、常に一定の条件とはせずに、使用環境などに合わせて適宜変更されてもよい。
【００２９】
累積点灯時間リセット要求判定部２３は、照明スイッチＳＷのオンオフ操作回数が上記のリセット要求条件に合致すると判定した時には、第１通信制御部２１および双方向通信手段４を介して、初期照度補正回路２にリセット要求信号を伝達する。初期照度補正回路２は、点灯装置２０１より伝達されたリセット要求信号に応じて、累積点灯時間のリセットを行う。
【００３０】
実施の形態２によれば、専用の外部スイッチを設けることなく、既存の照明スイッチＳＷで切り替わる商用電源ＡＣのオンオフ信号を活用することでリセット要求が有効か否かを判定できる。さらに、実施の形態１と同様、累積点灯時間リセット要求判定部２３はリセット要求が有効と判断したら第１通信制御部２１および第２通信制御部７１を介してリセット要求信号を初期照度補正回路２の累積点灯時間リセット部７４に送信する。リセット要求信号に応じて、累積点灯時間リセット部７４は、累積点灯時間カウント部７５で計測していた累積点灯時間をリセットする。
【００３１】
実施の形態３．
図３は、本発明の実施の形態３にかかる光源点灯システム３００を示すブロック図である。光源点灯システム３００に光源３が接続されることで実施の形態３にかかる照明器具が提供される。実施の形態３は、リセット要求が発生する条件が実施の形態１と異なっている。よってリセット要求が発生する条件を主に説明し、実施の形態１と共通の事項については適宜に説明を省略あるいは簡略化する。
【００３２】
点灯装置３０１は、ノイズ抑制回路１１、整流回路１２、光源制御回路１３、光源検出回路１４、制御電源生成部１５、および第１マイコン１６を備える点では実施の形態１の点灯装置１と同じである。しかし、点灯装置３０１はさらに外部スイッチ１７を備える点で、実施の形態１と異なっている。第１マイコン１６は、第１通信制御部２１、目標出力生成回路２２、および累積点灯時間リセット要求判定部２３からなる。ただし、実施の形態３では、累積点灯時間リセット要求判定部２３が、光源検出回路１４とではなく外部スイッチ１７と接続している。
【００３３】
累積点灯時間リセット要求判定部２３は、外部スイッチ１７の操作によるリセット要求の有無を判定する。例えば、累積点灯時間リセット要求判定部２３は、外部スイッチ１７がオンされた状態ではリセット要求が有効と判断し、外部スイッチ１７がオフされた状態ではリセット要求が有効ではないと判断してもよい。また、このオンオフとリセット要求有無の関係は逆であってもよい。また、オンとオフの切替ではなく、オンとオフの切替が予め定めた短時間内に予め定めた回数だけ行われた場合に、リセット要求が有効と判断しても良い。これは実施の形態２で照明スイッチＳＷのオンオフ操作をリセット要求判定に使用したのと同様である。累積点灯時間リセット要求判定部２３は、リセット要求が有効と判定した時には、第１通信制御部２１および双方向通信手段４を介して、初期照度補正回路２にリセット要求信号を伝達する。初期照度補正回路２は、点灯装置３０１より伝達されたリセット要求信号に応じて、累積点灯時間のリセットを行う。
【００３４】
この実施の形態３によれば、専用の外部スイッチ１７を設け、このオンオフ信号を活用することでリセット要求が有効であると判断できる。実施の形態１および実施の形態２と同様に、累積点灯時間を必要に応じて自動的にリセットできる。また、専用の外部スイッチ１７をオンすることによりリセット要求を発することができるので、リセット要求を出したことを外部スイッチ１７のスイッチ操作によりユーザ自身が確実に認識できる。
【００３５】
なお、上述した実施の形態１〜３の構成のうち２つ以上を併用してもよい。つまり、光源検出回路１４、商用電源検出部２６および外部スイッチ１７の信号を、累積点灯時間リセット要求部２３に入力し、実施の形態１〜３それぞれで述べた制御を１つの第１マイコンで実行してもよい。
【００３６】
実施の形態４．
図４は、本発明の実施の形態４にかかる光源点灯システム４００を示すブロック図である。光源点灯システム４００に光源３が接続されることで実施の形態４にかかる照明器具が提供される。実施の形態４は、点灯装置４０１ではなく初期照度補正回路４０２に累積点灯時間リセット要求判定部７３が内蔵されている点が実施の形態１〜３と異なっている。以下、リセット要求が発生する条件を主に説明し、実施の形態１〜３と共通の事項については適宜に説明を省略あるいは簡略化する。
【００３７】
点灯装置４０１は、ノイズ抑制回路１１、整流回路１２、光源制御回路１３、光源検出回路１４、および制御電源生成部１５を備える点では実施の形態１の点灯装置１と同じである。しかし、実施の形態４では、第１マイコン１６が第１マイコン４１６に置換されている点が実施の形態１とは異なっている。第１マイコン４１６は、第１通信制御部２１および目標出力生成回路２２に加えて、商用電源検出部４２６および外部スイッチ検出部４２７を備えている。その一方で、第１マイコン４１６は累積点灯時間リセット要求判定部２３を備えていない。
【００３８】
商用電源検出部４２６は、照明スイッチＳＷが操作されることによる商用電源ＡＣのオンオフを検出する。商用電源検出部４２６は、予め定めた短時間内におけるオンオフの回数が予め定めた条件に合致したか否かの判定結果を、第１通信制御部２１を経由し初期照度補正回路４０２に伝達する。ここでいうオンオフ状態の回数とは、予め定めた所定短期間（例えば１秒〜３秒）に繰返し商用電源ＡＣのオンオフ操作を実施した回数をさす。これは実施の形態２で説明した内容と同様である。
【００３９】
外部スイッチ検出部４２７は、外部スイッチ４１７がオンであるかオフであるかを判定し、判定した外部スイッチ４１７の状態を、第１通信制御部２１を経由し、初期照度補正回路４０２に伝達する。これは、実施の形態３で説明した内容と同様である。
【００４０】
初期照度補正回路４０２は、マイコン４６６を備えている。マイコン４６６は、第２通信制御部７１、目標出力指令値生成回路７２、累積点灯時間リセット部７４、および累積点灯時間カウント部７５を備える点では、実施の形態１などのマイコン６６と同様である。しかし、マイコン４６６はさらに累積点灯時間リセット要求判定部７３を内蔵している点で、実施の形態１などのマイコン６６とは異なっている。
【００４１】
初期照度補正回路４０２は、光源検出回路１４、商用電源検出部４２６、および外部スイッチ検出部４２７でそれぞれ生成された信号を、双方向通信手段４および第２通信制御部７１を経由して受信する。初期照度補正回路４０２が受信した信号は累積点灯時間リセット要求判定部７３に伝達され、この信号に基づいて累積点灯時間リセット要求判定部７３がリセット要求の有無を判定する。累積点灯時間リセット要求判定部７３は、上記受信した信号に基づいてリセット要求であると判定した時には、累積点灯時間リセット部７４にリセット要求信号を伝達する。累積点灯時間リセット部７４は、累積点灯時間カウント部７５に記録された累積点灯時間をリセットする。
【００４２】
以上説明した実施の形態４によれば、初期照度補正回路４０２の第２マイコン４６６が、累積点灯時間リセット要求判定部７３を内蔵している。累積点灯時間リセット要求判定部７３は、商用電源ＡＣのオンオフが生じたことを示す信号（第１状態信号）と、操作を受け付ける外部スイッチ４１７の所定操作が生じたことを示す信号（第２状態信号）と、光源３の異常点灯の発生または光源３の交換があったことを示す信号（第３状態信号）とを点灯装置４０１から受信する。累積点灯時間リセット要求判定部７３は、これら点灯装置状態を示す第１〜３状態信号のうち少なくとも１つを受信したときに、リセット要求の有無を判定する。光源３の異常点灯の発生および光源３の交換は、ユーザの意思とは無関係のいわば受動的なリセット要求原因といえる。一方、外部から予め定めたパターンでスイッチをオンオフする動作は、ユーザの能動的なリセット要求を示す手動操作といえる。受動的なリセット要求および能動的なリセット要求の両方を検出できるようにシステムが構成されておりリセット要求を網羅的に検出できることも実施の形態４の利点の一つであり、これにより初期照度補正特性の設定変更についてのユーザの利便性を高めることもできる。
【００４３】
実施の形態５．
図５は、本発明の実施の形態５にかかる光源点灯システム５００を示すブロック図である。光源点灯システム５００に光源３が接続されることで実施の形態５にかかる照明器具が提供される。実施の形態５にかかる光源点灯システム５００は、初期照度補正回路５０２を制御するための電源（制御電源生成部６５）が初期照度補正回路５０２に設けられている点が実施の形態１と異なっている。これ以外の例えば点灯装置１の構成などは実施の形態１と同じである為、説明を省略する。なお、実施の形態５にかかる光源点灯システム５００は実施の形態１を基本構成としてこれに変形（つまり制御電源生成部６５）を加えたものとして説明する。しかし基本となる構成は実施の形態２の光源点灯システム２００、実施の形態３の光源点灯システム３００、および実施の形態４の光源点灯システム４００のいずれであってもよい。
【００４４】
実施の形態５にかかる光源点灯システム５００は、点灯装置１および初期照度補正回路５０２で構成されている。初期照度補正回路５０２は、制御電源生成部６５および第２マイコン５６６を含んでいる。第２マイコン５６６は、第２通信制御部７１、目標出力指令値生成回路７２、累積点灯時間リセット要求判定部７３、累積点灯時間リセット部７４、および累積点灯時間カウント部７５を備える点では実施の形態４にかかる第２マイコン４６６と同じである。しかし、第２マイコン５６６は、さらに商用電源検出部７６を備える点で、実施の形態４にかかる第２マイコン４６６と異なっている。以下、既に実施の形態１〜実施の形態４において説明済みの事項は適宜に説明を省略または簡略化する。
【００４５】
実施の形態５にかかる光源点灯システム５００は、点灯装置１および初期照度補正回路５０２の両方が、それぞれ商用電源ＡＣに接続している。点灯装置１と商用電源ＡＣの間に介在する照明スイッチＳＷのオンオフ切替に連動して、初期照度補正回路５０２と商用電源ＡＣとの間の電気接続もスイッチによってオンオフが切り替わる。これにより、点灯装置１および初期照度補正回路５０２の両方が商用電源ＡＣと電気的に接続している状態と、点灯装置１および初期照度補正回路５０２の両方が商用電源ＡＣから電気的に遮断されている状態と、を切替えることができる。
【００４６】
初期照度補正回路５０２に印加された商用電源ＡＣは、制御電源生成部６５により第２マイコン５６６の定格電圧まで降圧される。これにより第２マイコン５６６の駆動電源を供給することができる。
【００４７】
商用電源検出部７６は、実施の形態２および実施の形態４の商用電源検出部４２６と同様に、初期照度補正回路５０２に供給される商用電源ＡＣのオンオフを判定する。商用電源ＡＣのオンオフ状態の回数とは、予め定めた所定短期間（例えば１秒〜３秒などの任意の期間）に商用電源ＡＣのオンオフ操作が繰り返された回数のことであり、これは実施の形態２で説明した内容と同様である。累積点灯時間リセット要求判定部７３は、商用電源ＡＣのオンオフの回数判定結果に基づいて、リセット要求の有無を判定する。リセット要求が有ると判定された時には、累積点灯時間リセット要求判定部７３は、累積点灯時間リセット部７４にリセット要求信号を伝達する。
【００４８】
累積点灯時間リセット部７４は、リセット要求信号に応答して、累積点灯時間カウント部７５に記録された累積点灯時間をリセットする。
【００４９】
累積点灯時間カウント部７５は、リセット後の累積点灯時間を、目標出力指令値生成回路７２に伝達する。目標出力指令値生成回路７２は、第２通信制御部７１を経由して累積点灯時間に応じた目標出力（調光指令値）を双方向通信手段４により点灯装置１に伝達する。
【符号の説明】
【００５０】
ＡＣ  商用電源、ＳＷ  照明スイッチ、１、２０１、３０１、４０１  点灯装置、２、４０２、５０２  初期照度補正回路、３  光源、４  双方向通信手段、１１  ノイズ抑制回路、１２  整流回路、１３  光源制御回路、１４  光源検出回路、１５  制御電源生成部、１６、２１６、４１６  第１マイコン、１７、４１７  外部スイッチ、２１  第１通信制御部、２２  目標出力生成回路、２３  累積点灯時間リセット要求判定部、２６  商用電源検出部、２７、４２７  外部スイッチ検出部、６５  制御電源生成部、６６、４６６、５６６  第２マイコン、７１  第２通信制御部、７２  目標出力指令値生成回路、７３  累積点灯時間リセット要求判定部、７４  累積点灯時間リセット部、７５  累積点灯時間カウント部、７６、４２６  商用電源検出部、１００、２００、３００、４００、５００  光源点灯システム
【図１】
2017037785.tif 000003
【図２】
2017037785.tif 000004
【図３】
2017037785.tif 000005
【図４】
2017037785.tif 000006
【図５】
2017037785.tif 000007